(57)【要約】【課題】  複数の加入者識別情報それぞれに基づいて電話通信を利用する場合、電話の着信を受けたときに、どの加入者識別情報について電話の着信を受けたかを利用者が確認できる情報通信端末を提供する。【解決手段】  情報通信端末（携帯電話機）１０は、マイク１１６とスピーカ１１７と無線通信部１１３とＵＳＩＭカード１２２と制御部１１１とを備える。制御部１１１は、ＵＳＩＭカード１２２から複数の加入者識別情報を読み出し、各加入者識別情報について通信利用のための認証をうけるべく加入者識別情報を携帯電話通信網２０上の通信管理システム２００に送信するように無線通信部１１３を制御する。また、制御部１１１は、上記認証を受けた加入者識別情報の電話番号に対して着信を受けたとき、着信通知とともに、当該加入者識別情報を特定する情報を出力するようにスピーカ１１７や表示部１１９を制御する。【選択図】  図７
2006121335.tif 000002
【特許請求の範囲】
【請求項１】
音声入力手段と、音声出力手段と、通信ネットワークを介した電話通信を行う通信手段と、電話の着信通知を出力する着信通知出力手段と、複数の加入者識別情報を記憶する記憶手段と、該複数の加入者識別情報それぞれについて、該記憶手段から該加入者識別情報を読み出し、該加入者識別情報について通信利用のための認証をうけるべく該加入者識別情報を通信ネットワーク上の通信管理システムに送信するように該通信手段を制御する制御手段とを備えた情報通信端末であって、
上記制御手段は、上記認証を受けた加入者識別情報の電話番号に対して着信を受けたとき、着信通知とともに、当該加入者識別情報を特定する情報を出力するように該着信通知出力手段を制御することを特徴とする情報通信端末。
【請求項２】
複数の加入者識別情報が保存されている情報通信端末による通信ネットワークを介した通信を管理する通信管理システムであって、
加入者識別情報に基づいて通信ネットワークを介した通信を利用する加入者に関する加入者情報を記憶する加入者情報記憶手段と、
情報通信端末に保存されている複数の加入者識別情報それぞれについて、該情報通信端末から該加入者識別情報を受信し、該受信した加入者識別情報と該加入者情報記憶手段から読み出した加入者情報とに基づいて、該情報通信端末による通信利用のための認証処理を行う認証手段と、
該認証手段で認証された複数の加入者識別情報のいずれか一つの加入者識別情報に対する通信制御状態を、該情報通信端末における電話の発呼及び着呼が可能なアクティブ状態にし、その他の加入者識別情報に対する通信制御状態を、該電話の発呼及び着呼が規制されたノンアクティブ状態にするように、各加入者識別情報に対する電話通信を制御する通信制御手段とを備え、
該通信制御手段は、該ノンアクティブ状態にある加入者識別情報の電話番号に対して電話の発呼があったときに、その電話の発呼についての着信通知を、該アクティブ状態にある加入者識別情報の電話番号に対して送信するように制御することを特徴とする通信管理システム。
【請求項３】
請求項２の通信管理システムにおいて、
上記通信制御手段は、上記着信通知とともに、上記電話の発呼の発信先である加入者識別情報を特定する情報を送信することを特徴とする通信管理システム。
【請求項４】
請求項２又は３の通信管理システムにおいて、
上記通信制御手段は、上記アクティブ状態にする加入者識別情報の切り換えを要求する切換要求指令を上記情報通信端末から受信し、該切換要求指令に基づいて、上記アクティブ状態にする加入者識別情報を切り換えることを特徴とする通信管理システム。
【請求項５】
複数の加入者識別情報が保存されている情報通信端末と、該情報通信端末による通信ネットワークを介した通信を管理する通信管理システムとを備えた通信システムであって、
該通信管理システムは、請求項２乃至４のいずれかの通信管理システムであり、
該情報通信端末は、音声入力手段と、音声出力手段と、通信ネットワークを介した電話通信を行う通信手段と、該複数の加入者識別情報を記憶する記憶手段と、該通信手段による通信を制御する制御手段と、該通信管理システムから受信した着信通知を出力する着信通知出力手段とを備え、
該情報通信端末の制御手段は、該記憶手段に保存されている複数の加入者識別情報それぞれについて、該記憶手段から該加入者識別情報を読み出し、該加入者識別情報について通信利用のための認証をうけるべく該加入者識別情報を上記通信管理システムに送信するように制御することを特徴とする通信システム。
【請求項６】
請求項５の通信システムにおいて、
上記通信管理システムは、請求項４の通信管理システムであり、
上記情報通信端末は、上記通信制御状態をアクティブ状態にする加入者識別情報を利用者が指定するための指定手段を備え、
上記情報通信端末の制御手段は、上記アクティブ状態にする加入者識別情報を該指定手段で指定された加入者識別情報に切り換える切換要求指令を、上記通信管理システムに送信するように制御することを特徴とする通信システム。
【発明の詳細な説明】
【技術分野】
【０００１】
本発明は、複数の加入者識別情報それぞれに基づいて、通信ネットワークを介した通信を利用することができる携帯電話機等の情報通信端末、その情報通信端末による通信ネットワークを介した通信を管理する通信管理システム、及びそれらの情報通信端末と通信管理システムとを備えた通信システムに関するものである。
【背景技術】
【０００２】
従来、携帯電話機等の情報通信端末は、通信ネットワークを介した通信に必要な加入者識別情報（例えば電話番号）が１台ごとに割り振られる。この割り振られた加入者識別情報は、情報通信端末の内部記憶手段としての内部メモリや外部記憶媒体としてのＳＩＭ（Subscriber Identity Module）カードに保存され、通信ネットワークを介して通信する際に位置登録、認証、課金等の処理に使用される。
最近では、情報通信端末の利用形態の多様化に伴い、１台の情報通信端末で複数の加入者識別情報を切り換えて通信したいという要請がある。例えば、会社の仕事で使用する業務用の加入者識別情報で電話などの通信を行い、仕事以外の個人的な用件で使用するときは個人用の加入者識別情報で通信を行うように、１台の情報通信端末で複数の加入者識別情報を切り換えて通信したい場合がある。
複数の加入者識別情報を切り換えて通信可能な情報通信端末としては、次のような情報通信端末が知られている。例えば、特許文献１には、複数の加入者識別情報（電話番号）を登録することができる情報通信端末が開示されている。また、特許文献２には、互いに異なる加入者識別情報を記憶した加入者識別用の記憶媒体としてのＳＩＭ（Subscriber Identity Module）カードを複数装着した情報通信端末（携帯端末）が開示されている。
【特許文献１】特開２００３−１８９０１３号公報
【特許文献２】特開２００２−０９５０３８号公報
【発明の開示】
【発明が解決しようとする課題】
【０００３】
ところが、上記特許文献１や特許文献２に記載の情報通信端末において、複数の加入者識別情報（電話番号）に基づいて電話通信を利用しようとする場合、複数の加入者識別情報それぞれについて電話を受けることになる。そのため、電話を受けているときに、上記複数の加入者識別情報のうちどの加入者識別情報について電話を受けているかを利用者が確認できないという問題点があった。
【０００４】
また、上記情報通信端末における通信処理の負荷を軽くするために、予め認証を受けた複数の加入者識別情報のうち一つの加入者識別情報についてのみ電話通信（発呼及び着呼）ができるようにすることが考えられる。他の加入者識別情報について電話通信を行いたいときは、電話通信に用いる加入者識別情報を切り換えるように利用者が情報通信端末を操作する。この場合、通信ネットワーク側に設けられる通信制御システムでは次のように通信制御を行う。すなわち、通信制御システムは、上記複数の加入者識別情報のいずれか一つの加入者識別情報に対する通信制御状態を、情報通信端末における電話の発呼及び着呼が可能なアクティブ状態にする。そして、他の加入者識別情報に対する通信制御状態を、情報通信端末における電話の発呼及び着呼を規制するノンアクティブ状態にする。
しかしながら、このような一つの加入者識別情報についてのみ電話通信（発呼及び着呼）ができるように通信制御を行う場合は、通信制御状態がノンアクティブ状態にある加入者識別情報に対して電話の発呼があったとき、その発呼があったことを利用者が確認できないという問題点があった。
【０００５】
本発明は以上の問題点に鑑みなされたものである。その第１の目的は、複数の加入者識別情報それぞれに基づいて電話通信を利用する場合、電話の着信を受けたときに、どの加入者識別情報について電話の着信を受けたかを利用者が確認できる情報通信端末を提供することである。
また、本発明の第２の目的は、情報通信端末で使用する複数の加入者識別情報のいずれか一つについて通信制御状態をアクティブ状態にする場合に、通信制御状態がノンアクティブ状態にある他の加入者識別情報に対する電話の発呼についても、その電話の発呼があったことを利用者が確認できる通信管理システム及び通信システムを提供することである。
【課題を解決するための手段】
【０００６】
上記第１の目的を達成するために、請求項１の発明は、音声入力手段と、音声出力手段と、通信ネットワークを介した電話通信を行う通信手段と、電話の着信通知を出力する着信通知出力手段と、複数の加入者識別情報を記憶する記憶手段と、該複数の加入者識別情報それぞれについて、該記憶手段から該加入者識別情報を読み出し、該加入者識別情報について通信利用のための認証をうけるべく該加入者識別情報を通信ネットワーク上の通信管理システムに送信するように該通信手段を制御する制御手段とを備えた情報通信端末であって、上記制御手段は、上記認証を受けた加入者識別情報の電話番号に対して着信を受けたとき、着信通知とともに、当該加入者識別情報を特定する情報を出力するように該着信通知出力手段を制御することを特徴とするものである。
この情報通信端末では、複数の加入者識別情報それぞれについて、記憶手段から加入者識別情報を読み出し、加入者識別情報について通信利用のための認証をうけるべく加入者識別情報を通信ネットワーク上の通信管理システムに送信する。通信管理システムは情報通信端末から受信した各加入者識別情報に基づいて認証処理を行う。この認証処理により、情報通信端末の利用者は、各加入者識別情報について通信ネットワークを介して電話通信（発呼及び着呼）を利用できるようになる。
そして、上記情報通信端末は、上記認証を受けた加入者識別情報の電話番号に対して着信を受けたとき、着信通知とともに、当該加入者識別情報を特定する情報を出力する。この出力された情報により、利用者は、どの加入者識別情報について電話の着信があったかを確認できる。
なお、この情報通信端末では、上記電話の発信先である加入者識別情報を特定する情報とともに、上記電話の発信元の情報を出力するように制御してもよい。この場合は、どの発信元からの電話であるかを利用者が確認できる。
【０００７】
上記第２の目的を達成するために、請求項２の発明は、複数の加入者識別情報が保存されている情報通信端末による通信ネットワークを介した通信を管理する通信管理システムであって、加入者識別情報に基づいて通信ネットワークを介した通信を利用する加入者に関する加入者情報を記憶する加入者情報記憶手段と、情報通信端末に保存されている複数の加入者識別情報それぞれについて、該情報通信端末から該加入者識別情報を受信し、該受信した加入者識別情報と該加入者情報記憶手段から読み出した加入者情報とに基づいて、該情報通信端末による通信利用のための認証処理を行う認証手段と、該認証手段で認証された複数の加入者識別情報のいずれか一つの加入者識別情報に対する通信制御状態を、該情報通信端末における電話の発呼及び着呼が可能なアクティブ状態にし、その他の加入者識別情報に対する通信制御状態を、該電話の発呼及び着呼が規制されたノンアクティブ状態にするように、各加入者識別情報に対する電話通信を制御する通信制御手段とを備え、該通信制御手段は、該ノンアクティブ状態にある加入者識別情報の電話番号に対して電話の発呼があったときに、その電話の発呼についての着信通知を、該アクティブ状態にある加入者識別情報の電話番号に対して送信するように制御することを特徴とするものである。
この通信管理システムでは、認証手段により、情報通信端末から受信した各加入者識別情報に基づいて認証処理を行うとともに、通信制御手段により各加入者識別情報に対する電話通信を次のように制御する。すなわち、通信制御手段により、認証手段で認証された複数の加入者識別情報のいずれか一つの加入者識別情報に対する通信制御状態をアクティブ状態にし、その他の加入者識別情報に対する通信制御状態をノンアクティブ状態にするように電話通信を制御する。ここで、上記アクティブ状態は、情報通信端末における電話の発呼及び着呼が可能な通信制御状態であり、上記ノンアクティブ状態は、電話の発呼及び着呼が規制された通信制御状態である。
そして、上記通信制御手段により、上記ノンアクティブ状態にある加入者識別情報の電話番号に対して電話の発呼があったとき、その電話の発呼についての着信通知を、上記アクティブ状態にある加入者識別情報の電話番号に対して送信するように制御する。この着信通知を情報通信端末で受信して出力することにより、情報通信端末の利用者は、ノンアクティブ状態にある加入者識別情報の電話番号に対して電話の発呼があったときに、その電話の発呼があったことを確認できる。
【０００８】
また、請求項３の発明は、請求項２の通信管理システムにおいて、上記通信制御手段は、上記着信通知とともに、上記電話の発呼の発信先である加入者識別情報を特定する情報を送信することを特徴とするものである。
この通信管理システムでは、上記着信通知とともに、上記電話の発呼の発信先である加入者識別情報を特定する情報を、上記アクティブ状態にある加入者識別情報の電話番号に対して送信する。この情報を情報通信端末で受信して出力することにより、情報通信端末の利用者は、どの加入者識別情報に対して電話の発呼があったかを確認できる。
なお、この通信管理システムでは、上記電話の発呼の発信先である加入者識別情報を特定する情報とともに、上記電話の発信元の情報を出力するように制御してもよい。この場合は、どの発信元からの電話であるかを利用者が確認できる。
【０００９】
また、請求項４の発明は、請求項２又は３の通信管理システムにおいて、上記通信制御手段は、上記アクティブ状態にする加入者識別情報の切り換えを要求する切換要求指令を上記情報通信端末から受信し、該切換要求指令に基づいて、上記アクティブ状態にする加入者識別情報を切り換えることを特徴とするものである。
この通信管理システムでは、上記アクティブ状態にする加入者識別情報の切り換えを要求する切換要求指令を情報通信端末から受信し、この受信した切換要求指令に基づいて、アクティブ状態にする加入者識別情報を切り換える。
【００１０】
また、請求項５の発明は、複数の加入者識別情報が保存されている情報通信端末と、該情報通信端末による通信ネットワークを介した通信を管理する通信管理システムとを備えた通信システムであって、該通信管理システムは、請求項２乃至４のいずれかの通信管理システムであり、該情報通信端末は、音声入力手段と、音声出力手段と、通信ネットワークを介した電話通信を行う通信手段と、該複数の加入者識別情報を記憶する記憶手段と、該通信手段による通信を制御する制御手段と、該通信管理システムから受信した着信通知を出力する着信通知出力手段とを備え、該情報通信端末の制御手段は、該記憶手段に保存されている複数の加入者識別情報それぞれについて、該記憶手段から該加入者識別情報を読み出し、該加入者識別情報について通信利用のための認証をうけるべく該加入者識別情報を上記通信管理システムに送信するように制御することを特徴とするものである。
この通信システムを構成する情報通信端末では、複数の加入者識別情報それぞれについて、記憶手段から加入者識別情報を読み出し、加入者識別情報について通信利用のための認証をうけるべく加入者識別情報を通信ネットワーク上の通信管理システムに送信する。通信管理システムは、情報通信端末から送信された各加入者識別情報を受信し、受信した加入者識別情報に基づいて認証処理を行う。更に、この認証処理を行うとともに、通信制御手段により各加入者識別情報に対する電話通信を次のように制御する。すなわち、通信制御手段により、認証手段で認証された複数の加入者識別情報のいずれか一つの加入者識別情報に対する通信制御状態をアクティブ状態にし、その他の加入者識別情報に対する通信制御状態をノンアクティブ状態にするように電話通信を制御する。
そして、上記通信システムを構成する通信管理システムでは、上記通信制御手段により、上記ノンアクティブ状態にある加入者識別情報の電話番号に対して電話の発呼があったとき、その電話の発呼についての着信通知を、上記アクティブ状態にある加入者識別情報の電話番号に対して送信するように制御する。この着信通知を情報通信端末で受信して出力することにより、情報通信端末の利用者は、ノンアクティブ状態にある加入者識別情報の電話番号に対して電話の発呼があったことを確認できる。
【００１１】
また、請求項６の発明は、請求項５の通信システムにおいて、上記通信管理システムは、請求項４の通信管理システムであり、上記情報通信端末は、上記通信制御状態をアクティブ状態にする加入者識別情報を利用者が指定するための指定手段を備え、上記情報通信端末の制御手段は、上記アクティブ状態にする加入者識別情報を該指定手段で指定された加入者識別情報に切り換える切換要求指令を、上記通信管理システムに送信するように制御することを特徴とするものである。
この通信システムでは、情報通信端末の利用者が上記通信制御状態をアクティブ状態にする加入者識別情報を切り換えるときは、そのアクティブ状態にする加入者識別情報を指定手段で指定する。情報通信端末の制御手段は、上記アクティブ状態にする加入者識別情報を指定手段で指定された加入者識別情報に切り換える切換要求指令を、通信管理システムに送信する。通信管理システムの通信制御手段は、情報通信端末から受信した切換要求指令に基づいて、アクティブ状態にする加入者識別情報を切り換える。
【００１２】
なお、上記「情報通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone Service）、自動車電話機、固定電話機等の通話機能を有する電話機が挙げられる。また、この「情報通信端末」としては、上記電話機のほか、通話機能を有するＰＤＡ（Personal Digital Assistance）等の通信端末も挙げられる。
特に、本発明は、Ｗ−ＣＤＭＡ（Wideband Code Division Multiple Access）通信方式及びｃｄｍａ２０００通信方式を含むＩＭＴ−２０００（International Mobile Telecommunication 2000）に準拠した通信方式で通信を行う移動体通信端末に好適である。この場合は、Ｗ−ＣＤＭＡ通信方式の移動体通信端末とｃｄｍａ２０００通信方式の移動体通信端末との間のようにＩＭＴ−２０００に準拠した移動体通信端末間で、加入者識別用ＩＣカードを共有することができる。しかも、各移動体通信端末において、加入者識別用ＩＣカードに保存されている複数の加入者識別情報と使い分けて通信に利用できる。
また、上記情報通信端末及び通信管理システムにおける制御及び情報処理は、その情報通信端末及び通信管理システムそれぞれに設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【００１３】
請求項１の発明によれば、複数の加入者識別情報それぞれに基づいて電話通信を利用することができる。しかも、加入者識別情報の電話番号に対して着信を受けたときに、着信通知とともに、当該加入者識別情報を特定する情報を出力する。この出力された情報により、情報通信端末の利用者は、どの加入者識別情報について電話の着信があったかを確認できるという効果がある。
請求項２乃至６の発明によれば、複数の加入者識別情報のいずれか一つについて通信制御状態をアクティブ状態にし、そのアクティブ状態の加入者識別情報に基づいて電話通信を利用することができる。しかも、ノンアクティブ状態にある他の加入者識別情報の電話番号に対して電話の発呼があったとき、その着信通知を、アクティブ状態にある加入者識別情報の電話番号に対して送信する。この送信された着信通知を情報通信端末で受信して出力することにより、利用者は、ノンアクティブ状態にある加入者識別情報の電話番号に対して電話の発呼があったときも、その電話の発呼があったことを確認できるという効果がある。
特に、請求項３の発明によれば、ノンアクティブ状態にある加入者識別情報の電話番号に対する電話の発呼を受けたときに、電話の発呼の発信先である加入者識別情報を特定する情報を、アクティブ状態にある加入者識別情報の電話番号に対して送信する。この情報を情報通信端末で受信して出力することにより、情報通信端末の利用者は、どの加入者識別情報について電話の発呼があったかを確認できるという効果がある。特に、ノンアクティブ状態にある加入者識別情報が複数の場合に効果的である。
特に、請求項４及び６の発明によれば、通信制御状態をアクティブ状態にする加入者識別情報を、利用者が指定した加入者識別情報に切り換えることができるという効果がある。
【発明を実施するための最良の形態】
【００１４】
以下、本発明を情報通信端末としての移動体通信端末である携帯電話機に適用した実施形態について説明する。
まず、本発明の実施形態に係る携帯電話機を用いて通信するための通信システム全体の概略構成について説明する。
図１は本実施形態に係る通信システム全体の概略構成の一例を示す説明図である。この通信システムは、情報通信端末としての携帯電話機１０と、通信ネットワークとしての携帯電話通信網２０とを用いて構成されている。携帯電話通信網２０は、通信管理システム２００と基地局２１０と基地局制御装置２２０とゲートウェイ装置２６０とを備えている。ここで、基地局２１０及び基地局制御装置２２０を含むネットワーク部分は「無線アクセスネットワーク」と呼ばれ、通信管理システム２００及びゲートウェイ装置２６０を含むネットワーク部分は「コアネットワーク」と呼ばれる。
【００１５】
上記基地局２１０は、管轄対象のセルごとに設けられ、携帯電話通信網２０内の有線回線からのデータを無線インタフェースに合うデータフォーマットに変換し、管轄対象のセル内にある携帯電話機１０に無線周波数で送信する。逆に無線周波数で送信される携帯電話機１０からのデータを受信して有線インタフェースに合うデータフォーマットに変換し、携帯電話通信網２０内の有線回線部分に転送する。
【００１６】
上記基地局制御装置２２０は、携帯電話機１０と通信制御装置２３０との間の発着呼制御、通信チャネルの割当て、基地局エリアの切換え(ハンドオフ)等を行う。通信制御方式（通信交換方式）としてパケット交換方式を採用する場合、基地局制御装置２２０内に、パケットに特有な機能を有するパケット制御装置（ＰＣＵ：Packet Control Unit）が設けられる。
【００１７】
上記ゲートウェイ装置２６０は、他の通信事業者の通信網、ＩＳＤＮ等の公衆電話網、インターネット等の他の通信ネットワークとの相互接続処理を行う。回線交換方式を採用する場合のゲートウェイ装置２６０としては、例えば、ゲートウェイ移動交換局（ＧＭＳＣ：Gateway Mobile Switching Center）が用いられる。また、パケット交換方式を採用する場合のゲートウェイ装置２６０としては、例えば、他のパケットデータ通信ネットワークとの相互接続処理を行うノード（ＧＧＳＮ：Gateway GPRS Support Node）が用いられる。
【００１８】
上記通信管理システム２００は、各携帯電話機１０の利用者に割り当てられる加入者識別情報に基づいて各携帯電話機１０による通信を管理する。この加入者識別情報は、通信事業者が提供する電話やメール等の通信サービスを利用するにあたって通信事業者との間で契約を交わした通信サービスの加入者を識別するための情報である。
【００１９】
上記加入者識別情報としては、ＭＤＮ（Mobile Directory Number）及びＭＳＩＳＤＮ（Mobile Station ISDN number definition）等の携帯電話機の電話番号や、ＥＳＮ（Electronic Serial Number）やＩＭＥＩ（International Mobile Equipment Identifier）等の携帯電話機を識別する番号が挙げられる。これらの番号は、携帯電話機と加入者とが一対一に対応する場合の加入者識別情報である。
【００２０】
また、上記加入者識別情報としては、ＭＩＮ（Mobile Identification Number）、ＩＭＳＩ（International Mobile Subscriber Identity）、ＴＭＳＩ（Temporary Mobile Subscriber Identity）等も挙げられる。ここで、上記ＩＭＳＩは、携帯電話通信網を利用する加入者ごとに異なるように各加入者に対してユニークに割り当てられる。また、上記ＴＭＳＩは、上記ＩＭＳＩに基づいて一つの位置登録管理エリア内でユニークに割り当てられる。このＴＭＳＩは、それが割り当てられた位置登録管理エリア内に存在する携帯電話機の加入者識別情報として、上記ＩＭＳＩに代わって一時的に使用される。
【００２１】
本実施形態では、これらの加入者識別情報のうち、ＧＳＭ（Global System for Mobile Communications）方式の携帯電話機やＩＭＴ−２０００の規格に準拠したいわゆる第三世代の携帯電話機で使用されるＩＭＳＩを保存する場合について示す。なお、実際の通信の際には、前述のようにＩＭＳＩに代わって一時的にＴＭＳＩが使用される場合もあるが、以下の説明では、ＩＭＳＩ及びＴＭＳＩを区別する必要がない場合にはそれら両方を示すものとして「ＩＭＳＩ」を用い、両者を区別する必要がある場合には「ＩＭＳＩ」及び「ＴＭＳＩ」を区別して用いる。
【００２２】
上記ＩＭＳＩは加入者識別情報のほか、国識別情報及び通信事業者識別情報も有している。例えば、上記ＩＭＳＩは、最大１０桁の加入者を識別するコード：ＭＳＩＮ（Mobile Subscriber Identification Number）と、３桁の国を識別するコード：ＭＣＣ（Mobile Country Code）と、２〜３桁の通信事業者を識別するコード：ＭＮＣ（Mobile Network Code）とにより構成される。
【００２３】
上記通信管理システム２００は、通信制御手段としての通信制御装置２３０と、位置情報登録手段及び認証手段としての位置登録・認証装置２４０とを備えている。
上記通信制御装置２３０は、各携帯電話機１０を用いて通信を行うときの接続制御やサービス制御を行う。回線交換方式を採用する場合の通信制御装置２３０としては、例えば移動交換局（ＭＳＣ：Mobile Switching Center）が用いられる。また、パケット交換方式を採用する場合の通信制御装置２３０としては、例えば、利用者の位置管理、セキュリティ管理、アクセス制御などを行うノード（ＳＧＳＮ：Serving GPRS Support Node）が用いられる。
【００２４】
上記位置登録・認証装置２４０は、各携帯電話機１０から受信した加入者識別情報に基づいて、各携帯電話機１０の位置している現在位置の情報すなわち各携帯電話機１０が位置している位置登録管理エリアの位置情報等を登録して管理する。この位置登録・認証装置２４０は、各携帯電話機の位置情報及び加入者情報を管理する加入者情報記憶手段としてのホームロケーションレジスタ（ＨＬＲ）２４１とビジターロケーションレジスタ（ＶＬＲ）２４２とを備えている。このホームロケーションレジスタ（ＨＬＲ）２４１とビジターロケーションレジスタ（ＶＬＲ）２４２とは互いに独立して設けていいし、両レジスタの機能を統合した装置を設けてもよい。ＨＬＲ２４１及びＶＬＲ２４２を独立に設ける場合、各レジスタには次のような情報が登録される。すなわち、ＨＬＲ２４１には、携帯電話機の電話番号と加入者識別情報（ＩＭＳＩ）と、携帯電話機が位置している位置登録管理エリア（在圏エリア）の対象ＶＬＲの情報とが登録される。そして、ＶＬＲ２４２には、携帯電話機の電話番号と、そのＶＬＲが管理する位置登録管理エリアの加入者識別情報（ＩＭＳＩ）と、一時加入者識別情報（ＴＭＳＩ）と、位置情報ＩＤ（ＬＡＩ：Location Area Identification）と、通信状態の情報とが登録される。この場合、ＶＬＲ２４２は、上記通信制御装置２３０側に設けてもよい。
【００２５】
なお、上記位置登録管理エリアは、各携帯電話機１０と無線通信する基地局が管轄する一つのセルからなるエリアであっていいし、隣接する複数のセルを一つのグループとして管理されるエリアであってもよい。一つの位置登録管理エリアの典型的なサイズは数ｋｍ〜数百ｍである。上記位置登録・認証装置２４０に対する各携帯電話機１０の位置登録は、電源ＯＮ時に、定期的に、及び携帯電話機１０が位置するセルが変わるたびに行われる。この位置登録の際に、携帯電話機に保存されている加入者識別情報を用いた後述の認証処理が行われる。
【００２６】
また、上記位置登録・認証装置２４０は、各携帯電話機１０から受信した加入者識別情報と、ＨＬＲ２４１又はＶＬＲ２４２に登録されている加入者情報とに基づいて、各携帯電話機１０による通信利用のための利用者認証を行う。
【００２７】
また、通信管理システム２００は、図示しない課金管理装置も備えている。この課金管理装置は、通信制御装置２３０から受けた通信利用情報及び加入者識別情報と、上記加入者データベースに保存されている加入者情報とに基づいて、各利用者が携帯電話機１０を使って行った電話、メール送受信、情報ダウンロード等の通信に対する課金処理を行う。
【００２８】
次に、本実施形態の携帯電話機１０の構成について説明する。なお、前述のように、本実施形態の携帯電話機１０としては、Ｗ−ＣＤＭＡ通信方式やｃｄｍａ２０００通信方式のようにＩＭＴ−２０００に準拠した通信方式で通信を行うものが好ましい。
図２は、本実施形態の携帯電話機１０の構成の一例を示すブロック図である。この携帯電話機１０の本体部分１００は、制御手段としての制御部１１１、内部記憶手段としての内部メモリ１１２、通信手段としての無線通信部１１３及びアンテナ１１４を備えている。制御部１１１には、音声処理部１１５を介して音声入力手段としてのマイク１１６及び音声出力手段としてのスピーカ１１７が接続され、画像処理部１１８を介して表示部１１９が接続され、更にキー操作部１２０が接続されている。なお、上記スピーカ１１７は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２９】
上記スピーカ１１７及び表示部１１９は、電話の着信通知を音や画像として出力する着信通知出力手段としても用いられる。この着信通知出力手段は、電話の発呼を受信したときに、電話の着信通知とともに、電話の発呼の発信先である加入者識別情報を特定する情報を出力することもできる。ここで、加入者識別情報を特定する情報は、スピーカ１１７から出力される音による情報であってもいいし、表示部１１９に表示されるテキストやアイコン等の画像による情報であってもよい。また、上記加入者識別情報を特定する情報として音を出力したりアイコン等の画像を出力したりする場合は、複数の加入者識別情報ごとに互いに異なる音やアイコン等の画像を出力するのが好ましい。この場合は、どの加入者識別情報宛に電話がかかってきたかを利用者がより簡易に確認できるようになる。
【００３０】
また、上記携帯電話機１０は、着脱可能な記憶媒体である加入者識別用ＩＣカードとしてのＵＳＩＭ（Universal Subscriber Identity Module）カード１２２が着脱可能に構成されている。このＵＳＩＭカード１２２は、従来のＧＳＭ方式の携帯電話機で使用されていたＳＩＭ（Subscriber Identity Module）カードを、いわゆる第三世代の携帯電話機の規格であるＩＭＴ−２０００の規格に対応させたものである。ＵＳＩＭカード１２２は、データの読み出し及び書き込みの制御などを行う制御手段としての制御部と、データ記憶手段としてのメモリとを備え、インタフェース手段としてのＵＳＩＭカードインターフェース装置（以下、「ＵＳＩＭカードＩ／Ｆ装置」という。）１２１に取り付けられる。このＵＳＩＭカード１２２の制御部はＣＰＵなどで構成され、フォルダーやファイルの管理、利用者認証などの処理を行う。また、メモリには、ＭＦ(Master File)、ＥＦ(Elementary File)、ＤＦ(Dedicated File)及びＡＤＦ（Application Dedicated File）からなる所定のファイルシステムが構築され、各種情報がファイル形式で保存されている。前述の加入者識別情報を含むＩＭＳＩは、上記ＥＦの一つであるＥＦ＿ＩＭＳＩに保存されている。
【００３１】
また、上記ＵＳＩＭカード１２２には、前述の加入者識別情報を含むＩＭＳＩのほか、次のような各種付加情報のファイルが保存されている。付加情報としては、携帯電話通信網２０を介した通信に使用する認証アルゴリズム、通信相手先情報としての電話・アドレス帳の情報、発信及び受信の履歴を示す通信履歴情報が保存されている。更に、これらの情報のファイルにアクセスするための照合用認証情報（例えば照合用ＰＩＮ：Personal Identity Number）が保存されている。これらの認証アルゴリズム、電話・アドレス帳の情報及び通信履歴情報は、加入者識別情報ごとに、その加入者識別情報に対応付けて保存されている。そして、利用者が入力した認証情報（例えばＰＩＮ）と照合用認証情報とが一致した場合にのみ、その利用者の加入者識別情報に対応する各種付加情報のファイルにアクセスして読み出したり書き込んだりすることができる。
【００３２】
上記ＵＳＩＭカード１２２は例えば携帯電話通信事業者から発行され、携帯電話機を利用する利用者である加入者（携帯電話機の契約者）の情報等が記録される。このＵＳＩＭカード１２２を携帯電話機１０のＵＳＩＭカードＩ／Ｆ装置１２１に装着することにより、その携帯電話機１０を所定の契約内容で使用することができる。また、上記ＵＳＩＭカード１２２を複数の携帯電話機に対して挿し替えて使用することにより、それらの複数の携帯電話機を同じ契約者扱いで利用することができる。
上記ＵＳＩＭカードＩ／Ｆ装置１２１は制御部１１１で制御され、ＵＳＩＭカード１２２に対するデータの入出力を行うインターフェース機能や、ＵＳＩＭカード１２２が着脱されるときにＵＳＩＭカード１２２の装着を検知する機能も有している。
【００３３】
上記制御部１１１は例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。
【００３４】
また、上記制御部１１１は、次の制御を行う制御手段としても用いられる。すなわち、この制御部１１１は、ＵＳＩＭカードＩ／Ｆ装置１２１を介してＵＳＩＭカード１２２との間の情報の書き込み及び読み出しを行うように制御する。また、制御部１１１は、ＵＳＩＭカード１２２に保存されている複数の加入者識別情報（ＩＭＳＩ）を切り換えて読み出し、電話やメール送受信等の通信を行うように制御する。
【００３５】
上記内部メモリ１１２は例えばＲＡＭやＲＯＭなどの半導体メモリで構成され、制御部１１１で実行する制御プログラムや各種データを記憶するものである。また、この内部メモリ１１２は、情報提供サイトなどからダウンロードした画像、音楽、プログラム等のコンテンツデータを記憶するコンテンツデータ記憶手段としても用いられる。
【００３６】
また、上記内部メモリ１１２には、ＵＳＩＭカード１２２の場合と同様に、次のような各種付加情報のファイルが保存されている。付加情報としては、携帯電話通信網２０を介した通信に使用する認証アルゴリズム、通信相手先情報としての電話・アドレス帳の情報、発信及び受信の履歴を示す通信履歴情報が保存されている。更に、これらの情報のファイルにアクセスするための照合用認証情報（例えば照合用ＰＩＮ）が保存されている。これらの認証アルゴリズム、電話・アドレス帳の情報及び通信履歴情報は、加入者識別情報ごとに、その加入者識別情報に対応付けて保存されている。そして、利用者が入力した認証情報（例えばＰＩＮ）と照合用認証情報とが一致した場合にのみ、その利用者の加入者識別情報に対応する各種付加情報のファイルにアクセスして読み出したり書き込んだりすることができる。
【００３７】
上記無線通信部１１３は制御部１１１で制御され、アンテナ１１４を介して、所定の通信方式により携帯電話通信網２０の基地局２１０との間で無線通信を行うものである。この無線通信により、他の特定の携帯電話機等との間で音声電話通信を行ったり、電子メールの送受信や情報提供サイトからのコンテンツダウンロード等のデータ通信を行ったりすることができる。
【００３８】
上記音声処理部１１５は、マイク１１６から入力された送話音声信号を所定方式で符号化して制御部１１１に送る。また、この音声処理部１１５は、無線通信部１１３で受信した受話音声信号を復号化してスピーカ１１７から出力する。更に、この音声処理部１１５は、内部メモリ１１２に記憶されている着信メロディやアプリケーションプログラムで用いる効果音等の音信号をスピーカ１１７から出力する。
【００３９】
上記画像処理部１１８は、無線通信部１１３で受信した画像データや、内部メモリ１１２に記憶されているアイコンやメニュー等の画像データを処理し、液晶ディスプレイ（ＬＣＤ）等からなる表示部に表示させる。
【００４０】
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。なお、このキー操作部１２０は、利用者が認証情報を入力するための認証情報入力手段や、上記複数の加入者識別情報うち少なくとも発信するときに使用する加入者識別情報を利用者が指定するときに操作する指定操作入力手段としても用いられる。また、このキー操作部１２０は、通信制御状態をアクティブ状態にする加入者識別情報を利用者が指定するための指定手段としても用いられる。
【００４１】
本実施形態に係る上記構成の携帯電話機１０は、互いに異なる複数の加入者識別情報（ＩＭＳＩ）がＵＳＩＭカード１２２に保存され、これらの加入者識別情報（ＩＭＳＩ）について電話、メール送受信などの携帯電話通信網２０を介した通信を行うことができる。
以下、本実施形態では、一例として、利用者Ａが会社（法人Ｂ）の仕事で使用する業務用の加入者識別情報：ＩＭＳＩ（Ｂ）と、利用者Ａが仕事以外の個人的な用件で使用する個人用の加入者識別情報：ＩＭＳＩ（Ａ）とを、１台の携帯電話機１０のＵＳＩＭカード１２２内に保存して使用する場合について説明する。
【００４２】
表１は、二つの加入者識別情報ＩＭＳＩ（Ａ）及びＩＭＳＩ（Ｂ）について、加入者識別番号、電話番号、メールアドレス、保存場所、加入者、利用者及び用途の関係を示したものである。個人Ａが加入者名義になっている加入者識別情報ＩＭＳＩ（Ａ）は、携帯電話機１０に装着されるＵＳＩＭカード１２２に保存され、利用者Ａの個人用の通信に使用される。更に、個人Ａの勤務先である法人Ｂが加入者名義になっている加入者識別情報ＩＭＳＩ（Ｂ）も、上記ＵＳＩＭカード１２２に保存され、利用者Ａの業務用の通信に使用される。電話番号及びメールアドレスは、各加入者ごとにユニークに割り当てられ、各加入者識別情報ＩＭＳＩごとに、ＵＳＩＭカード１２２及び内部メモリ１１２に保存される。更に、ＵＳＩＭカード１２２及び内部メモリ１１２には、認証アルゴリズム、電話・アドレス帳の情報及び通信履歴情報が、加入者識別情報ＩＭＳＩごとに、その加入者識別情報に対応付けて保存されている。
【表１】
2006121335.tif 000003
【００４３】
次に、上記構成の携帯電話機１０を用いて通信するときの通信処理手順の要部について説明する。以下、次の１〜４の場合に分けて説明する。
１．利用者ＡのＵＳＩＭカード（Ａ）を装着した状態で電源をＯＮした場合（図３）。
２．法人ＢのＩＭＳＩ（Ｂ）の使用を停止し、利用者ＡのＩＭＳＩ（Ａ）のみの使用に切り換えた場合（図４）。
３．利用者ＡのＩＭＳＩ（Ａ）の使用を停止し、法人ＢのＩＭＳＩ（Ｂ）のみの使用に使用に切り換えた場合（図５）。
４．利用者ＡのＵＳＩＭカード（Ａ）を取り外し、他の利用者ＣのＵＳＩＭカード（Ｃ）を装着して電源をＯＮした場合（図６）。
【００４４】
図３は、上記構成の携帯電話機１０に利用者ＡのＵＳＩＭカード（Ａ）１２２を装着した状態で電源をＯＮしたときの通信処理手順の一例を示すシーケンス図である。なお、電源ＯＮ後に携帯電話機１０が別の位置登録管理エリアに移動したときの通信処理手順も同様な通信手順となる。
【００４５】
図３において、まず、利用者Ａが自分のＵＳＩＭカード（Ａ）を装着した状態で携帯電話機１０の電源をＯＮすると、携帯電話機１０と携帯電話通信網２０の基地局２１０との間で、所定の無線リンク確立シーケンスが実行される。
【００４６】
次に、携帯電話機１０は、ＵＳＩＭカード（Ａ）に保存されている業務用のＩＭＳＩ（Ｂ）を読み出すための認証情報としてのＰＩＮ番号の入力を促す画面を表示する。この表示を見て利用者がキー操作部１２０を操作し、所定のＰＩＮ番号を入力すると、端末レベルの認証処理が行われる。携帯電話機１０の制御部１１１は、利用者が入力した認証情報と、ＩＭＳＩ（Ｂ）に対応付けて保存されている照合用認証情報としてのＰＩＮ番号とに基づいて、ＩＭＳＩ（Ｂ）の読み出しが可能か否かを判断する。ここで、両ＰＩＮ番号が一致して読み出し可能と判断した場合、制御部１１１は、ＵＳＩＭカード（Ａ）に保存されている業務用のＩＭＳＩ（Ｂ）を読み出す。
なお、ＵＳＩＭカード（Ａ）に保存されている業務用のＩＭＳＩ（Ｂ）については、上記認証を行わずに読み出すように制御してもよい。
【００４７】
次に、携帯電話機１０は、ＵＳＩＭカード（Ａ）から読み出した業務用のＩＭＳＩ（Ｂ）を用いて、位置登録・認証装置２４０に対して携帯電話機１０が位置する位置登録管理エリアの基地局の位置情報ＬＡＩを通知する。ここで、携帯電話機１０にＴＭＳＩが既に割り当てられて保存されている場合は、ＩＭＳＩの代わりにＴＭＳＩを読み出して用いる。また、携帯電話機１０から受信した位置情報ＬＡＩに対応するＶＬＲが変化した場合、位置登録・認証装置２４０は、その新しいＶＬＲの情報をＨＬＲに登録する。
【００４８】
次に、携帯電話機１０と位置登録・認証装置２４０との間で、所定の認証・秘匿処理のシーケンスが実行される。
上記加入者の認証は、例えば次のようにパスワードを用いないチャレンジ・レスポンス法を用いて実行される。まず、位置登録・認証装置２４０は、携帯電話機１０から受信したＩＭＳＩ（Ｂ）に基づいて乱数（ＲＡＮＤ）を生成し、携帯電話機１０に送信する。携帯電話機１０は、位置登録・認証装置２４０から受信した乱数（ＲＡＮＤ）の数値と、ＵＳＩＭカード（Ａ）１２２にＩＭＳＩ（Ｂ）とともに保存している固有の認証鍵Ｋｉ（Ｂ）及び所定の認証アルゴリズムとを用いて暗号化演算を行い、署名付きのレスポンス（ＳＲＥＳ）を生成する。そして、携帯電話機１０は、生成したレスポンス（ＳＲＥＳ）を位置登録・認証装置２４０に送信する。位置登録・認証装置２４０は、携帯電話機１０に送信した乱数（ＲＡＮＤ）の数値と、ＩＭＳＩ（Ｂ）に対応する固有の認証鍵Ｋｉ（Ｂ）及び所定の認証アルゴリズムとを用いて、上記携帯電話機の場合と同様に暗号化演算を行い、レスポンス（ＳＲＥＳ）を生成する。そして、位置登録・認証装置２４０は、携帯電話機１０から受信したレスポンス（ＳＲＥＳ）と、装置内で生成したレスポンス（ＳＲＥＳ）とを照合することにより、加入者（法人Ｂ）の認証を行う。この認証が成功した場合に、位置登録・認証装置２４０は、ＩＭＳＩ（Ｂ）に関する登録処理を実行する。
上記秘匿通信は、例えば次のように行われる。上記認証に成功して携帯電話機１０と位置登録・認証装置２４０との間のユーザ通信チャネル（リンク）が確立された後、携帯電話機１０及び位置登録・認証装置２４０はそれぞれ、上記乱数（ＲＡＮＤ）の数値と、固有の認証鍵Ｋｉ（Ｂ）及び所定のアルゴリズムとを用いて、秘匿通信に用いる秘匿鍵Ｋｃ（Ｂ）を生成する。この秘匿鍵Ｋｃ（Ｂ）が、携帯電話機１０と基地局２１０との間の無線リンク（無線インターフェース）上を移動するデータの暗号化に使用される。例えば、携帯電話機１０は、秘匿鍵Ｋｃ（Ｂ）と所定の秘匿アルゴリズムとを用いて、送信対象のデータ（平文）を暗号化する。そして、位置登録・認証装置２４０叉は基地局２１０は、秘匿鍵Ｋｃ（Ｂ）と所定の秘匿アルゴリズムとを用いて、受信した暗号化データを復号化して平文のデータに戻す。
【００４９】
次に、通信の匿名性を確保するために、携帯電話機１０と位置登録・認証装置２４０との間で、新ＴＭＳＩを割り当てるシーケンスが実行される。まず、位置登録・認証装置２４０は、上記法人ＢのＩＭＳＩ（Ｂ）に対応付けて、新しいＴＭＳＩ’（Ｂ）を生成して割り当てる。そして、位置登録・認証装置２４０は、上記秘匿通信のチャンネルを使って、新しいＴＭＳＩ’（Ｂ）を携帯電話機１０に送信する。携帯電話機１０は、位置登録・認証装置２４０から受信した新しいＴＭＳＩ’（Ｂ）をＩＭＳＩ（Ｂ）に対応付けて内部メモリ１１２又はＵＳＩＭカード（Ａ）１２２の所定記憶領域に保存する。そして、携帯電話機１０は、新しいＴＭＳＩ’（Ｂ）の割り当てが完了したことを位置登録・認証装置２４０に通知する。
【００５０】
次に、位置登録・認証装置２４０は、携帯電話機１０の二つの加入者識別情報のうち法人ＢのＩＭＳＩ（Ｂ）について位置登録が完了した旨を通知する位置登録応答を、携帯電話機１０に送信する。そして、携帯電話機１０と位置登録・認証装置２４０との間で、リンク切断シーケンスが実行される。
【００５１】
上記法人ＢのＩＭＳＩ（Ｂ）について認証及び位置登録が完了した後、引き続いて、個人ＡのＩＭＳＩ（Ａ）について認証及び位置登録が実行される。
まず、携帯電話機１０は、電源がＯＮされたときに、個人ＡのＵＳＩＭカード（Ａ）１２２の装着を検知すると、ＵＳＩＭカード（Ａ）１２２に保存されている個人用のＩＭＳＩ（Ａ）を読み出すための認証情報としてのＰＩＮ番号の入力を促す画面を表示する。この表示を見て利用者がキー操作部１２０を操作し、所定のＰＩＮ番号を入力すると、端末レベルの認証処理が行われる。携帯電話機１０の制御部１１１は、利用者が入力した認証情報と、ＩＭＳＩ（Ａ）に対応付けて保存されている照合用認証情報としてのＰＩＮ番号とに基づいて、ＩＭＳＩ（Ａ）の読み出しが可能か否かを判断する。ここで、両ＰＩＮ番号が一致して読み出し可能と判断した場合、制御部１１１は、ＵＳＩＭカード（Ａ）１２２内の制御部を介して、ＵＳＩＭカード（Ａ）１２２に保存されている個人用のＩＭＳＩ（Ａ）を読み出す。
【００５２】
次に、個人用のＩＭＳＩ（Ａ）について、上記位置登録処理、認証・秘匿処理、新ＴＭＳＩ（Ａ）の割り当て処理が実行される。なお、これらの処理の内容は、上記業務用のＩＭＳＩ（Ｂ）の場合と同様であるので、説明を省略する。但し、鍵、アルゴリズム、ＴＭＳＩ（Ａ）等の情報は、内部メモリ１１２ではなく、ＵＳＩＭカード（Ａ）１２２内の所定の記憶領域に保存される。
【００５３】
次に、携帯電話機１０と位置登録・認証装置２４０との間で、リンク切断シーケンスが実行される。最後に、携帯電話機１０と基地局２１０との間で、無線リンク切断シーケンスが実行される。
【００５４】
以上の通信シーケンスにより、利用者Ａは、加入している通信事業者の携帯電話通信網２０において、個人用の電話番号及び業務用の電話番号の両方について電話機能を利用したり、個人用のメールアドレス及び業務用のメールアドレスについてメールを送受信したりすることができるようになる。
【００５５】
なお、携帯電話機１０を用いて電話をかけたりメールを送信したりするときは、個人ＡのＩＭＳＩ（Ａ）及び法人ＢのＩＭＳＩ（Ｂ）のいずれか一方が発信元として使用されるように初期設定されている。そして、利用者ＡがＩＭＳＩを切り換える操作を行ったときは、電話をかけたりメールを送信したりするときに使用するＩＭＳＩが変更される。
一方、個人ＡのＩＭＳＩ（Ａ）及び法人ＢのＩＭＳＩ（Ｂ）の両方について位置登録を行っているので、電話の着信、メールの受信、情報提供の受信などの場合については、両方のＩＭＳＩ（Ａ）及びＩＭＳＩ（Ｂ）について、携帯電話通信網２０側から信号やデータを常に受信可能な状態になっている。
ここで、携帯電話機１０における電話やメールの送受信などに使用しているＩＭＳＩを利用者が常に把握できるように、使用中のＩＭＳＩを通知する表示を行うのが好ましい。
【００５６】
また、個人用の電話やメールの送信を行うときは、個人ＡのＩＭＳＩ（Ａ）に対応付けてＵＳＩＭ（Ａ）カード１２２に保存している個人用の電話・アドレス帳を用いる。一方、業務用の電話やメールの送信を行うときは、法人ＢのＩＭＳＩ（Ｂ）に対応付けてＵＳＩＭカード（Ａ）１２２又は内部メモリ１１２に保存している業務用の電話・アドレス帳を用いる。
【００５７】
また、個人用の電話やメールの送信・受信を行うときは、その通信履歴情報が、個人ＡのＩＭＳＩ（Ａ）に対応付けて設けられている、ＵＳＩＭ（Ａ）カード１２２又は内部メモリ１１２内の業務用の通信履歴情報ファイルに保存される。一方、業務用の電話やメールの送信・受信を行うときは、その通信履歴情報が、法人ＢのＩＭＳＩ（Ｂ）に対応付けて設けられている、ＵＳＩＭカード（Ａ）１２２又は内部メモリ１１２内の業務用の通信履歴情報ファイルに保存される。
【００５８】
図４は、法人Ｂの業務用のＩＭＳＩ（Ｂ）の使用を停止し、個人用の利用者ＡのＩＭＳＩ（Ａ）のみの使用に切り換えたときの通信処理手順の一例を示すシーケンス図である。
図４において、利用者Ａは、キー操作部１２０を操作して業務用の法人ＢのＩＭＳＩ（Ｂ）の使用を停止を指示する。この指示操作に基づいて、携帯電話機１０と携帯電話通信網２０の基地局２１０との間で、所定の無線リンク確立シーケンスが実行される。
次に、前述の図３の場合と同様な端末レベルの認証処理の後、携帯電話機１０の制御部１１１は、ＵＳＩＭカード（Ａ）１２２に保存されている業務用のＩＭＳＩ（Ｂ）を読み出し、業務用のＩＭＳＩ（Ｂ）に対する位置登録解除要求を位置登録・認証装置２４０に送信する。
次に、位置登録・認証装置２４０は、携帯電話機１０から受信した位置登録解除要求に基づいて、ＨＬＲ及びＶＬＲにおけるＩＭＳＩ（Ｂ）に対する位置登録を解除するとともに、基地局２１０との間で、ＩＭＳＩ（Ｂ）に関する情報をクリアするシーケンスを実行する。そして、携帯電話機１０と基地局２１０との間で、無線リンク切断シーケンスが実行される。
【００５９】
図５は、利用者ＡのＩＭＳＩ（Ａ）の使用を停止し、法人ＢのＩＭＳＩ（Ｂ）のみの使用に使用に切り換えたときの通信処理手順の一例を示すシーケンス図である。
図５において、利用者Ａは、キー操作部１２０を操作して個人用の利用者ＡのＩＭＳＩ（Ａ）の使用を停止を指示する。この指示操作に基づいて、携帯電話機１０と携帯電話通信網２０の基地局２１０との間で、所定の無線リンク確立シーケンスが実行される。
次に、前述の図３の場合と同様な端末レベルの認証処理の後、携帯電話機１０の制御部１１１は、ＵＳＩＭカード（Ａ）１２２に保存されている個人用のＩＭＳＩ（Ａ）を読み出し、個人用のＩＭＳＩ（Ａ）に対する位置登録解除要求を位置登録・認証装置２４０に送信する。
次に、位置登録・認証装置２４０は、携帯電話機１０から受信した位置登録解除要求に基づいて、ＨＬＲ及びＶＬＲにおけるＩＭＳＩ（Ａ）に対する位置登録を解除するとともに、基地局２１０との間で、ＩＭＳＩ（Ａ）に関する情報をクリアするシーケンスを実行する。そして、携帯電話機１０と基地局２１０との間で、無線リンク切断シーケンスが実行される。
【００６０】
図６は、携帯電話機１０から利用者ＡのＵＳＩＭカード（Ａ）を取り外し、その携帯電話機１０に他の利用者ＣのＵＳＩＭカード（Ｃ）を装着して電源をＯＮしたときの通信処理手順の一例を示すシーケンス図である。この場合の利用者Ｃの個人用の加入者識別情報ＩＭＳＩ（Ｃ）及び業務用の加入者識別情報ＩＭＳＩ（Ｄ）について、加入者識別番号、電話番号、メールアドレス、保存場所、加入者、利用者及び用途の関係を、表２に示す。
【表２】
2006121335.tif 000004
【００６１】
図６において、利用者Ｃの業務用の加入者識別情報ＩＭＳＩ（Ｄ）についての通信処理手順は、前述の図３における加入者識別情報ＩＭＳＩ（Ｂ）の場合と同様であるので、説明を省略する。
上記業務用のＩＭＳＩ（Ｄ）について認証及び位置登録が完了した後、引き続いて、個人用のＩＭＳＩ（Ｃ）について認証及び位置登録が実行される。
まず、携帯電話機１０は、電源がＯＮされたときに、利用者ＣのＵＳＩＭカード（Ｃ）１２２の装着を検知すると、ＵＳＩＭカード（Ｃ）１２２に保存されている個人用のＩＭＳＩ（Ｃ）を読み出すための認証情報としてのＰＩＮ番号の入力を促す画面を表示する。この表示を見て利用者がキー操作部１２０を操作し、所定のＰＩＮ番号を入力すると、端末レベルの認証処理が行われる。携帯電話機１０の制御部１１１は、利用者が入力した認証情報と、ＩＭＳＩ（Ｃ）に対応付けて保存されている照合用認証情報としてのＰＩＮ番号とに基づいて、ＩＭＳＩ（Ｃ）の読み出しが可能か否かを判断する。ここで、両ＰＩＮ番号が一致して読み出し可能と判断した場合、制御部１１１は、ＵＳＩＭカード（Ｃ）１２２内の制御部を介して、ＵＳＩＭカード（Ｃ）１２２に保存されている個人用のＩＭＳＩ（Ｃ）を読み出す。
【００６２】
次に、個人用のＩＭＳＩ（Ｃ）について、上記位置登録処理、認証・秘匿処理、新ＴＭＳＩ（Ｃ）の割り当て処理が実行される。なお、これらの処理の内容は、上記業務用のＩＭＳＩ（Ｂ）の場合と同様であるので、説明を省略する。但し、鍵、アルゴリズム、ＴＭＳＩ（Ｃ）等の情報は、内部メモリ１１２ではなく、ＵＳＩＭカード（Ｃ）１２２内の所定の記憶領域に保存される。
【００６３】
次に、携帯電話機１０と位置登録・認証装置２４０との間で、リンク切断シーケンスが実行される。最後に、携帯電話機１０と基地局２１０との間で、無線リンク切断シーケンスが実行される。
【００６４】
以上の通信シーケンスにより、利用者Ｃは、加入している通信事業者の携帯電話通信網２０において、個人用の電話番号及び業務用の電話番号の両方について電話機能を利用したり、個人用のメールアドレス及び業務用のメールアドレスについてメールを送受信したりすることができるようになる。
【００６５】
上記構成の携帯電話機では、二つの加入者識別情報ＩＭＳＩを使い分けて通信に利用することができる。しかも、加入者識別情報ＩＭＳＩを保存するＵＳＩＭカードを着脱可能なＵＳＩＭカードＩ／Ｆ装置を複数設ける必要がない。
また、個人用のＩＭＳＩ（Ａ）、ＩＭＳＩ（Ｃ）及び業務用のＩＭＳＩ（Ｂ）、ＩＭＳＩ（Ｄ）のそれぞれに専用の電話・アドレス帳を設けているので、各ＩＭＳＩごとに通信相手先の範囲が異なる場合でも、通信開始時の通信相手先の設定が容易になるので、加入者識別情報を切り換えて通信を行うときの利便性が向上する。
また、個人用のＩＭＳＩ（Ａ）、ＩＭＳＩ（Ｃ）及び業務用のＩＭＳＩ（Ｂ）、ＩＭＳＩ（Ｄ）のそれぞれに専用の通信履歴情報のファイルを設けているので、ＩＭＳＩごとに通信履歴情報を読み出して表示等を行うことができる。従って、ＩＭＳＩを切り換えて通信を行うときの通信履歴情報を容易に確認できる。
また、利用者が入力した認証情報（ＰＩＮ番号）と照合用認証情報とに基づいてＩＭＳＩが利用可能と判断したときだけ、そのＩＭＳＩを読み出して利用可能にすることができるので、加入者識別情報ＩＭＳＩの不正利用を回避してセキュリティを高めることができる。
また、利用者の希望に応じて特定の加入者識別情報ＩＭＳＩに基づいて少なくとも発信を含む通信サービスを受けることができるので、複数のＩＭＳＩの使い分けの自由度が高まる。
【００６６】
次に、上記二つの加入者識別情報ＩＭＳＩに基づいて電話通信できる携帯電話機１０において、外部からかかってきた電話がどの加入者識別情報ＩＭＳＩに対するものかを利用者が確認できるようにする制御について説明する。
【００６７】
図７は、本実施形態の携帯電話機１０における電話着信時の制御手順の一例を示すフローチャートである。この携帯電話機１０は、個人用のＩＭＳＩ（Ａ）及び業務用のＩＭＳＩ（Ｂ）のそれぞれに対して電話の発呼を受けることができる。
図７において、携帯電話機１０は、携帯電話通信網２０を介して送信されてきた電話の発呼を無線通信部１１３で受信すると、上記二つの個人用のＩＭＳＩ（Ａ）及び業務用のＩＭＳＩ（Ｂ）のうち、どちらのＩＭＳＩ宛の電話の発呼であるかを制御部１１１で判定する（ステップＳ１，Ｓ２）。
ここで、上記受信した電話の発呼が個人用のＩＭＳＩ（Ａ）宛の発呼である場合は、そのＩＭＳＩ（Ａ）に対応する着信通知を出力するように、音声処理部１１５を介してスピーカ１１７を制御したり、画像処理部１１８を介して表示部１１９を制御したりする（ステップＳ３，Ｓ４）。具体的には、個人用のＩＭＳＩ（Ａ）に対応させて予め設定しておいた音やアイコン等の画像を伴う着信通知を出力する。
一方、上記受信した電話の発呼が業務用のＩＭＳＩ（Ｂ）宛の発呼である場合は、そのＩＭＳＩ（Ｂ）に対応する着信通知を出力するように、音声処理部１１５を介してスピーカ１１７を制御したり、画像処理部１１８を介して表示部１１９を制御したりする（ステップＳ３，Ｓ５）。具体的には、業務用のＩＭＳＩ（Ｂ）に対応させて予め設定しておいた音やアイコン等の画像を伴う着信通知を出力する。
【００６８】
以上、本実施形態によれば、携帯電話機１０で電話の着信（発呼）を受けたときに、その電話の着信通知とともに、電話の発呼の発信先である加入者識別情報ＩＭＳＩ（Ａ）又はＩＭＳＩ（Ｂ）を特定する音や画像からなる情報を出力する。この出力された情報により、携帯電話機１０の利用者は、外部からかかってきた電話がどの加入者識別情報ＩＭＳＩに対するものかを確認できる。
【００６９】
〔実施形態２〕
本発明の第２の実施形態では、上記二つの加入者識別情報に対する通信制御状態をアクティブ状態又はノンアクティブ状態に切り換えできるように、通信管理システム２００を構成している。なお、本実施形態の携帯電話機１０、通信管理システム２００及びそれらを備えた通信システムの基本的な構成、制御及び動作は、上記第１の実施形態と同様であるので、それらの説明は省略する。
【００７０】
本実施形態の通信管理システム２００を構成する通信制御装置２３０は、次のように通信制御を行う。すなわち、通信制御装置２３０は、位置登録・認証装置２４０で認証された二つの加入者識別情報ＩＭＳＩのうち一方の加入者識別情報ＩＭＳＩ（例えば、個人用のＩＭＳＩ（Ａ））に対する通信制御状態をアクティブ状態にする。このアクティブ状態は、携帯電話機１０における電話の発呼及び着呼が可能な通信制御状態である。そして、通信制御装置２３０は、もう一方の加入者識別情報ＩＭＳＩ（例えば、業務用のＩＭＳＩ（Ｂ））に対する通信制御状態をノンアクティブ状態にするように制御する。このノンアクティブ状態は、電話の発呼及び着呼が規制された通信制御状態である。
【００７１】
更に、通信制御装置２３０は、上記ノンアクティブ状態にある加入者識別情報ＩＭＳＩの電話番号に対して電話の発呼があったときに、その電話の発呼についての着信通知を、上記アクティブ状態にある加入者識別情報の電話番号に対して送信するように、通信を制御する。この着信通知の送信には、例えば携帯電話通信網２０内で使用可能なＳＭＳ（Short Message Service）等の通信ベアラを用いることができる。
【００７２】
図８は、本実施形態の通信システムの通信制御装置２３０における通信制御の手順の一例を示すフローチャートである。この通信システムでは、個人用のＩＭＳＩ（Ａ）と業務用のＩＭＳＩ（Ｂ）の両方について認証を受けておく。そして、携帯電話機１０において、個人用のＩＭＳＩ（Ａ）及び業務用のＩＭＳＩ（Ｂ）を切り換えて電話通信（発呼及び着呼）に利用できるようになっている。なお、図８では、個人用のＩＭＳＩ（Ａ）に対する通信制御状態がアクティブ状態であり、業務用のＩＭＳＩ（Ｂ）に対する通信制御状態がノンアクティブ状態である場合について示している。
【００７３】
図８において、通信制御装置２３０は、携帯電話通信網２０を介して送信されてきた携帯電話機１０宛の電話の発呼を受信すると、上記二つの個人用のＩＭＳＩ（Ａ）及び業務用のＩＭＳＩ（Ｂ）のうち、どちらのＩＭＳＩ宛の電話の発呼であるかを判定する（ステップＳ１，Ｓ２）。
ここで、上記受信した電話の発呼がアクティブ状態の個人用のＩＭＳＩ（Ａ）宛の発呼である場合は、そのＩＭＳＩ（Ａ）宛の電話の発呼を携帯電話機１０に転送するように通信を制御する（ステップＳ３，Ｓ４）。
一方、上記受信した電話の発呼がノンアクティブ状態の業務用のＩＭＳＩ（Ｂ）宛の発呼である場合は、そのＩＭＳＩ（Ｂ）に対応する着信通知を、上記アクティブ状態の個人用のＩＭＳＩ（Ａ）の電話番号宛にＳＭＳ等を使用して送信する（ステップＳ３，Ｓ５）。
【００７４】
以上、本実施形態によれば、ノンアクティブ状態にある加入者識別情報（例えば業務用のＩＭＳＩ（Ｂ））の電話番号に対して電話の発呼があったとき、その着信通知を、アクティブ状態にある加入者識別情報（例えば個人用のＩＭＳＩ（Ａ））の電話番号に対して送信する。この送信された着信通知を携帯電話機１０で受信して出力することにより、利用者は、ノンアクティブ状態にある加入者識別情報の電話番号に対して電話の発呼があったときも、その電話の発呼があったことを確認できる。
【００７５】
なお、上記第２の実施形態において、ノンアクティブ状態にある加入者識別情報（例えば業務用のＩＭＳＩ（Ｂ））の電話番号に対して電話の発呼があったときに、上記着信通知とともに、電話の発呼の発信先である加入者識別情報ＩＭＳＩを特定する情報を送信するようにしてもよい。この場合は、携帯電話機１０から出力された情報により、携帯電話機１０の利用者は、ノンアクティブ状態にある加入者識別情報の電話番号宛にかかってきた電話がどの加入者識別情報ＩＭＳＩに対するものかを確認できる。
また、上記第２の実施形態において、上記着信通知には、電話の発信元が誰であるかがわかるように、発信元の電話番号等の情報を含ませるようにするのが好ましい。
【００７６】
また、上記第２の実施形態において、上記アクティブ状態にする加入者識別情報ＩＭＳＩを携帯電話機１０から指示して切り換えることができるようにしてもよい。
図９は、上記アクティブ状態にする加入者識別情報ＩＭＳＩを切り換えるときの手順の一例を示すシーケンス図である。
まず、利用者が携帯電話機１０を操作し、上記アクティブ状態にする加入者識別情報ＩＭＳＩを指定する。具体的には、上記アクティブ状態にする加入者識別情報ＩＭＳＩを業務用のＩＭＳＩ（Ｂ）に指定する操作を行う。この操作により、携帯電話機１０は、上記アクティブ状態にする加入者識別情報を業務用の加入者識別情報ＩＭＳＩ（Ｂ）に切り換える切換要求指令を、通信制御装置２３０へ送信する。
通信制御装置２３０は、上記切換要求指令を受信すると、上記アクティブ状態にする加入者識別情報を業務用の加入者識別情報ＩＭＳＩ（Ｂ）に切り換える切換処理を実行する。そして、切換処理が完了した後、アクティブＩＭＳＩ切換完了の応答を携帯電話機１０に送信する。
携帯電話機１０は、アクティブＩＭＳＩ切換完了の応答を受信すると、そのアクティブＩＭＳＩ切換完了の情報を表示部に表示し、アクティブＩＭＳＩ切換完了を利用者に知らせる。
【００７７】
なお、上記各実施形態では、互いに異なる加入者識別情報ＩＭＳＩを携帯電話機１０のＵＳＩＭ１２２とに保存しているが、内部メモリ１１２とＵＳＩＭ１２２とにまたがって保存してもよい。また、複数の加入者識別情報ＩＭＳＩの少なくとも一つの加入者識別情報ＩＭＳＩを、携帯電話機１０に装着したメモリーカードに保存するようにしてもよい。この場合は、図１０に示すように、メモリーカード１２４を着脱可能にするメモリーカードＩ／Ｆ装置１２３を設ける。メモリーカードとしては、ＳＤメモリーカードのほか、ＣＦ（コンパクトフラッシュ（登録商標））メモリーカード、スマートメディア、メモリースティック、ＭＭＣ（マルチメディアカード）等が挙げられる。
このようにＵＳＩＭカードに比して装着可能な対応機種が豊富で且つ着脱も容易な汎用のメモリーカードに、加入者識別情報ＩＭＳＩを保存する場合は、加入者識別情報ＩＭＳＩを他の携帯電話機に移して利用するときの利便性に優れている。
また、この場合は、ＵＳＩＭカードＩ／Ｆ装置を設けずに、メモリーカードのみを着脱可能に構成してもよい。
【００７８】
また、上記各実施形態では、複数の加入者識別情報ＩＭＳＩそれぞれに対する電話・アドレス帳及び通信履歴情報のファイルをＵＳＩＭカード１２２や内部メモリ１１２に保存しているが、携帯電話機１０に装着したメモリーカードに保存するようにしてもよい。
【００７９】
また、上記各実施形態では、１台の携帯電話機で二つの加入者識別情報ＩＭＳＩに基づいて通信を利用する場合について説明したが、本発明は、１台の携帯電話機で三つ又は四つ以上の加入者識別情報ＩＭＳＩに基づいて通信を利用する場合にも同様に適用することができる。
【００８０】
また、上記各実施形態では、携帯電話機の内部メモリ及びＵＳＩＭカードそれぞれに一つの加入者識別情報ＩＭＳＩを保存しているが、内部メモリ及びＵＳＩＭカード等の外部記憶媒体には２以上の加入者識別情報ＩＭＳＩを保存してもよい。
【００８１】
また、上記各実施形態において、複数の加入者識別情報に対する契約内容は互いに異ならせてもよい。例えば、上記複数の加入者識別情報はそれぞれ、同一の法人又は個人が加入して割り当てられた互いに異なる複数の加入者識別情報であってもよい。
また、上記複数の加入者識別情報に対する料金プランは互いに異なるものであってもよい。この場合は、１台の携帯電話機で互いに異なる料金プランを使い分けることができる。
また、上記複数の加入者識別情報はそれぞれ、互いに異なる通信事業者と契約して割り当てられたものであり、それらの通信事業者が提供する互いに異なる通信サービスを受けるためのものであってもよい。この場合は、１台の携帯電話機で互いに異なる通信事業者の通信サービスを使い分けることができる。
また、上記複数の加入者識別情報はそれぞれ、互いに異なる料金支払い方式について割り当てられたものでもよい。例えば、複数の加入者識別情報のうち一部の加入者識別情報がポストペイド方式の契約で割り当てられたものであり、残りの加入者識別情報がプリペイド方式の契約で割り当てられたものであってもよい。この場合は、１台の携帯電話機で互いに異なる料金支払い方式（ポストペイド、プリペイド）を使い分けることができる。
また、上記複数の加入者識別情報はそれぞれ、ＰＤＣ、ＧＳＭ、Ｗ−ＣＤＭＡなどの互いに異なる通信方式の通信サービスを受けるためのものであってもよい。この場合は、１台の携帯電話機で互いに異なる通信方式の通信サービスを使い分けることができる。
【００８２】
また、上記各実施形態では、情報通信端末が携帯電話機の場合について説明したが、本発明は、上記加入者識別情報を保存可能なＵＳＩＭカードなどの記憶媒体が着脱可能なものであれば、携帯電話機以外の情報通信端末の場合にも適用できるものである。
【図面の簡単な説明】
【００８３】
【図１】本発明の第１の実施形態に係る携帯電話機を用いた通信システム全体の概略構成図。
【図２】同携帯電話機の概略構成を示すブロック図。
【図３】同携帯電話機に利用者ＡのＵＳＩＭカードを装着した状態で電源をＯＮしたときの通信処理手順の一例を示すシーケンス図。
【図４】法人ＢのＩＭＳＩ（Ｂ）の使用を停止したときの通信処理手順の一例を示すシーケンス図。
【図５】利用者ＡのＩＭＳＩ（Ａ）の使用を停止したときの通信処理手順の一例を示すシーケンス図。
【図６】利用者ＡのＵＳＩＭカード（Ａ）を取り外した携帯電話機に他の利用者ＣのＵＳＩＭカード（Ｃ）を装着したときの通信処理手順の一例を示すシーケンス図。
【図７】同携帯電話機における電話着信時の制御手順の一例を示すフローチャート。
【図８】本発明の第２の実施形態に係る通信システムの通信制御装置における通信制御の手順の一例を示すフローチャート。
【図９】同通信システムにおいてアクティブ状態にする加入者識別情報ＩＭＳＩを切り換えるときの手順の一例を示すシーケンス図。
【図１０】ＵＳＩＭカードとともにメモリーカードも装着可能な携帯電話機の概略構成を示すブロック図。
【符号の説明】
【００８４】
１０    携帯電話機
２０    携帯電話通信網
１１１  制御部
１１２  内部メモリ
１１３  無線通信部
１２０  キー操作部
１２１  ＵＳＩＭカードＩ／Ｆ装置
１２２  ＵＳＩＭカード
１２３  メモリーカードＩ／Ｆ装置
１２４  メモリーカード
２００  通信管理システム
２３０  通信制御装置
２４０  位置登録・認証装置
【図１】
2006121335.tif 000005
【図２】
2006121335.tif 000006
【図３】
2006121335.tif 000007
【図４】
2006121335.tif 000008
【図５】
2006121335.tif 000009
【図６】
2006121335.tif 000010
【図７】
2006121335.tif 000011
【図８】
2006121335.tif 000012
【図９】
2006121335.tif 000013
【図１０】
2006121335.tif 000014